(57)【要約】      （修正有）【課題】クレーン等によって昇降可能に吊上げ支持される吊ビームと、上記対象物が係止される一対の吊上体とを備え、該一対の吊上体を吊ビームの両端側にそれぞれ係脱可能に係合させた吊り具であって、作業負担が軽減される吊り具を提供する。【解決手段】昇降可能に吊下げ支持される横方向の吊ビーム２と、対象物Ａが係止される一対の吊上体４とを備え、該一対の吊上体４を吊ビーム２の両端側にそれぞれ係脱可能に係合させることにより該対象物Ａを吊ビーム２に吊下げる吊り具を構成する。さらに、前記対象物Ａが接地されて吊上体４から吊ビーム２に作用する力が減少した場合に、吊上体４と吊ビーム２との係合を解除する解除機構１１を、吊ビーム２側に設けてなる。【選択図】図２
0003163967.tif 000002
【実用新案登録請求の範囲】
【請求項１】
昇降可能に吊下げ支持される横方向の吊ビーム（２）と、対象物（Ａ）が係止される一対の吊上体（４）とを備え、該一対の吊上体（４）を吊ビーム（２）の両端側にそれぞれ係脱可能に係合させることにより該対象物（Ａ）を吊ビーム（２）に吊下げる吊り具であって、前記対象物（Ａ）が接地されて吊上体（４）から吊ビーム（２）に作用する力が減少した場合に、吊上体（４）と吊ビーム（２）との係合を解除する解除機構（１１）を、吊ビーム（２）側に設けた吊り具。
【請求項２】
解除機構（１１）が、対象物（Ａ）が接地されて吊上体（４）から吊ビーム（２）に作用する力が減少した場合に、吊ビーム（２）との係合が解除される側に吊上体（４）を付勢する弾性部材（１３）を有する請求項１に記載の吊り具。
【請求項３】
吊上体（４）によって環状部（４ａ）を形成し、該環状部（４ａ）に吊ビーム（２）が挿通されることにより吊上体（４）が吊ビーム（２）に引掛けられて係止されるように該環状部（４ａ）を構成し、係合解除時に環状部（４ａ）から吊ビーム（２）が抜出されるように解除機構（１１）を構成した請求項２に記載の吊り具。
【請求項４】
解除機構（１１）が、上下揺動可能なように吊ビーム（２）の端部側に支持された解除アーム（１２）と、吊ビーム（２）の上面側に沿って倒伏した倒伏姿勢の解除アーム（１２）を上方揺動側に付勢するように構成された前記弾性部材（１３）とを備え、倒伏姿勢の解除アーム（１２）が吊ビーム（２）とともに上記環状部（４ａ）に挿通された際に対象物（Ａ）が非接地の場合には該対象物（Ａ）からの荷重によって弾性部材（１３）の付勢力に抗して解除アーム（１２）が倒伏姿勢で保持されるように、該解除アーム（１２）及び弾性部材（１３）を構成し、対象物（Ａ）が接地された際に、弾性部材（１３）によって解除アーム（１２）が倒伏姿勢から上方揺動されることにより吊上体（４）の吊ビーム（２）との係合が解除される請求項３に記載の吊り具。
【請求項５】
解除アーム（１２）における吊ビーム（２）端側に位置する支持端と反対側の自由端側に、倒伏姿勢時における環状部（４ａ）の吊ビーム（２）中心側への移動を規制するフック部（１２ａ）を設けた請求項４に記載の吊り具。
【請求項６】
横方向に延びる左右一対の棒状の分割片（１７）によって吊ビーム（２）を構成し、分割片（１７）同士をヒンジ部（１８）によって回動可能に連結することにより、一対の分割片（１７）が一直線状に展開された展開姿勢と、各分割片（１７）がヒンジ部（１８）を支点に上方側に上方揺動された曲げ姿勢とに切換可能なように吊ビーム（２）を構成し、該ヒンジ部（１８）と、吊ビーム（２）を曲げ姿勢側に付勢するように構成された前記弾性部材（１３）とによって前記解除機構（１１）を構成し、非接地状態の対象物（Ａ）からの荷重によって該弾性部材（１３）の付勢力に抗して展開姿勢で保持された吊ビーム（２）が、対象物（Ａ）が接地された際に展開姿勢から曲げ姿勢に切換えられることにより、吊上体（４）と吊ビーム（２）との係合が解除されるように前記解除機構（１１）を構成した請求項２又は３の何れかに記載の吊り具。
【請求項７】
吊ビーム（２）の端部側に、環状部（４ａ）の解除機構（１１）によらない抜出しを防止する係止部（７）を形成した請求項３乃至６の何れかに記載の吊り具。
【請求項８】
吊上体（４）が、紐状体又は帯状体である請求項３乃至７の何れかに記載の吊り具。
【請求項９】
紐状体又は帯状体よりなる吊上体（４）をループ状にして前記環状部（４ａ）を形成した請求項８に記載の吊り具。
【請求項１０】
吊上体（４）の環状部（４ａ）内に対象物（Ａ）の周面の一部を位置させて係止する請求項９に記載の吊り具。
【考案の詳細な説明】
【技術分野】
【０００１】
この考案は、昇降可能に吊下げ支持される横方向の吊ビームを備えた吊り具に関する。
【背景技術】
【０００２】
土嚢等の高重量の対象物を吊上げ搬送する場合に用いる吊り具の一種として、クレーン等によって昇降可能に吊上げ支持される吊ビームと、上記対象物が係止される一対の吊上体とを備え、該一対の吊上体を吊ビームの両端側にそれぞれ取付け、対象物をバランス良く吊上げることが可能な吊り具が従来公知である。
【０００３】
さらに、該構成の吊り具を改良したものとして、一対の各吊上体を、吊ビームの対応する端部側に係脱可能に係合させることにより取付けた特許文献１に示す吊り具が公知になっている。
【先行技術文献】
【特許文献】
【０００４】
【特許文献１】実開平３−４１７８０号公報
【考案の概要】
【考案が解決しようとする課題】
【０００５】
上記文献の吊り具は、対象物を吊上体に係止した状態のままで、対象物を吊り具から取外すことが可能であるが、結局、吊上体を吊ビームから取外す作業が必要でるため、作業負担の軽減という観点から改良の余地が残る。
本考案は、クレーン等によって昇降可能に吊上げ支持される吊ビームと、上記対象物が係止される一対の吊上体とを備え、該一対の吊上体を吊ビームの両端側にそれぞれ係脱可能に係合させた吊り具であって、作業負担が軽減される吊り具を提供することを課題とする。
【課題を解決するための手段】
【０００６】
上記課題を解決するため本考案は、第１に、昇降可能に吊下げ支持される横方向の吊ビーム２と、対象物Ａが係止される一対の吊上体４とを備え、該一対の吊上体４を吊ビーム２の両端側にそれぞれ係脱可能に係合させることにより該対象物Ａを吊ビーム２に吊下げる吊り具であって、前記対象物Ａが接地されて吊上体４から吊ビーム２に作用する力が減少した場合に、吊上体４と吊ビーム２との係合を解除する解除機構１１を、吊ビーム２側に設けたことを特徴としている。
【０００７】
第２に、解除機構１１が、対象物Ａが接地されて吊上体４から吊ビーム２に作用する力が減少した場合に、吊ビーム２との係合が解除される側に吊上体４を付勢する弾性部材１３を有することを特徴としている。
【０００８】
第３に、吊上体４によって環状部４ａを形成し、該環状部４ａに吊ビーム２が挿通されることにより吊上体４が吊ビーム２に引掛けられて係止されるように該環状部４ａを構成し、係合解除時に環状部４ａから吊ビーム２が抜出されるように解除機構１１を構成したことを特徴としている。
【０００９】
第４に、解除機構１１が、上下揺動可能なように吊ビーム２の端部側に支持された解除アーム１２と、吊ビーム２の上面側に沿って倒伏した倒伏姿勢の解除アーム１２を上方揺動側に付勢するように構成された前記弾性部材１３とを備え、倒伏姿勢の解除アーム１２が吊ビーム２とともに上記環状部４ａに挿通された際に対象物Ａが非接地の場合には該対象物Ａからの荷重によって弾性部材１３の付勢力に抗して解除アーム１２が倒伏姿勢で保持されるように、該解除アーム１２及び弾性部材１３を構成し、対象物Ａが接地された際に、弾性部材１３によって解除アーム１２が倒伏姿勢から上方揺動されることにより吊上体４の吊ビーム２との係合が解除されることを特徴としている。
【００１０】
第５に、解除アーム１２における吊ビーム２端側に位置する支持端と反対側の自由端側に、倒伏姿勢時における環状部４ａの吊ビーム２中心側への移動を規制するフック部１２ａを設けたことを特徴としている。
【００１１】
第６に、横方向に延びる左右一対の棒状の分割片１７によって吊ビーム２を構成し、分割片１７同士をヒンジ部１８によって回動可能に連結することにより、一対の分割片１７が一直線状に展開された展開姿勢と、各分割片１７がヒンジ部１８を支点に上方側に上方揺動された曲げ姿勢とに切換可能なように吊ビーム２を構成し、該ヒンジ部１８と、吊ビーム２を曲げ姿勢側に付勢するように構成された前記弾性部材１３とによって前記解除機構１１を構成し、非接地状態の対象物Ａからの荷重によって該弾性部材１３の付勢力に抗して展開姿勢で保持された吊ビーム２が、対象物Ａが接地された際に展開姿勢から曲げ姿勢に切換えられることにより、吊上体４と吊ビーム２との係合が解除されるように前記解除機構１１を構成したことを特徴としている。
【００１２】
第７に、吊ビーム２の端部側に、環状部４ａの解除機構１１によらない抜出しを防止する係止部７を形成したことを特徴としている。
【００１３】
第８に、吊上体４が、紐状体又は帯状体であることを特徴としている。
【００１４】
第９に、紐状体又は帯状体よりなる吊上体４をループ状にして前記環状部４ａを形成したことを特徴としている。
【００１５】
第１０に、吊上体４の環状部４ａ内に対象物Ａの周面の一部を位置させて係止することを特徴としている。
【考案の効果】
【００１６】
本考案の構成によれば、対象物が接地されて吊上体から吊ビームに作用する力が減少した場合に、吊上体と吊ビームとの係合を解除する解除機構を、吊ビーム側に設けているため、吊上体と吊ビームとの係合を解除する作業が不要になり、作業の手間が軽減される。
【００１７】
また、吊上体によって環状部を形成し、該環状部に吊ビームが挿通されることにより吊上体が吊ビームに引掛けられて係止されるように該環状部を構成し、係合解除時に環状部から吊ビームが抜出されるように解除機構を構成すれば、吊上体と吊ビームとの係脱をより円滑に行わせることが可能になる。
【００１８】
また、吊ビームの端部側に、環状部の解除機構によらない抜出しを防止する係止部を形成すれば、吊上体と吊ビームとの意図しない係合解除を防止できる。
【図面の簡単な説明】
【００１９】
【図１】（Ａ）は本発明を適用した吊り具の吊上体を省いた状態の正面図であり、（Ｂ）は吊り具に設けられた止め金具の側面図である。
【図２】（Ａ），（Ｂ）は、土嚢吊上げ時の吊り具の要部正面図及び側面図である。
【図３】解除機構による係合解除の状態を示す吊り具の要部正面図である。
【図４】（Ａ），（Ｂ）は、解除機構の別実施形態の構成を示す吊り具の要部正面図及び要部平面図である。
【図５】解除機構の別実施形態を示すものであり、（Ａ）は吊上体と吊ビームの係合時における要部正面図であり、（Ｂ）は吊上体と吊ビームの係合解除時における要部正面図である。
【考案を実施するための形態】
【００２０】
図１（Ａ）は本発明を適用した吊り具の吊上体を省いた状態の正面図であり、（Ｂ）は吊り具に設けられた止め金具の側面図であり、図２（Ａ），（Ｂ）は、土嚢吊上げ時の吊り具の要部正面図及び側面図である。図示する例では、クレーンによって吊上げられて搬送される対象物は土嚢Ａであり、該土嚢Ａは土ａ１等を入れた袋体ａ２よりなる重量物である。本発明が適用された吊り具１は、この土嚢Ａを、クレーンＢによって吊上げて搬送する際に用いるものであり、横方向の金属製の吊ビーム２と、吊ビーム２をクレーンＢのフックｂに吊上げ支持する支持ワイヤ３と、フレキシブルに変形する帯状又は紐状（図示する例では帯状）の吊上体４とを備えている。
【００２１】
上記吊ビーム２は、横方向に延びる円柱状の本体部６を有し、この本体部６の軸方向両端部には、本体部６よりも径が大きい円盤フランジ状の係止部７がそれぞれ一体的に形成されるとともに、該本体部６の中途部における左右対称位置には、正面視方形状をなす板状の金属製ブラケット８がそれぞれ上方側に向かって一体的に突出形成されている。この左右一対の各ブラケット８は、中央部に円状の取付孔８ａが穿設されている。
【００２２】
上記支持ワイヤ３は左右一対で設けられ、この左右の支持ワイヤ３は、止め金具９を介して、対応するブラケット８に取付けられている。具体的には、支持ワイヤ３の上端部及び下端部を、自身の中途部に連結固定することにより、各支持ワイヤ３に上下一対の環状部３ａ，３ｂを形成している一方、止め金具９は、ブラケット８の取付孔８ａに挿通され且つＵ字状に曲げ形成された棒状部材である本体部９ａと、本体部９ａのＵ字状の両端部間に架設固定される係止ピン９ｂとからなる。
【００２３】
そして、各支持ワイヤ３の下側の環状部３ｂに係止ピン９ｂが挿通されるようにして、該係止ピン９ｂを本体部９ａの両端部間に架渡して固定することにより、該環状部３ｂを、止め金具９（ブラケット８側）に係止するとともに、各支持ワイヤ３の上側の環状部３ａをクレーンＢのフック部ｂに直接引掛けることにより係止する。
【００２４】
このようにして、吊ビーム２を、左右一対の支持ワイヤ３等によって、クレーンＢのフック部ｂに吊下げ支持した際、止め金具９及びブラケット８が吊ビーム２の左右対称箇所に配されているため、吊ビーム２が左右バランス良く水平な姿勢で保持される。なお、図示する例では、各支持ワイヤ３の上側の環状部３ａを単一のフック部ｂに直接引掛けて係止しているが、左右の支持ワイヤ３の上端側を単一のフック部材（図示しない）の下端部に取付支持し、このフック部材をクレーンＢフック部ｂに引掛けて係合させても良い。
【００２５】
上記吊上体４は、帯状又は紐状の一端側を他端側に連結してループ状とすることにより、環状部４ａを形成している。この全体形状がループ状をなす吊上体４は、吊ビーム２の左右の端部側にそれぞれ１個づつ係脱自在に係合される。
【００２６】
詳しく説明すると、左右の各吊上体４は、環状部４ａ内の上端側に吊ビーム２の左右の端部がそれぞれ挿通されることにより、吊ビーム２の対応する端部側（具体的には、吊ビーム２における係止部７とブラケット８との間）に引掛けて係止させる一方で、吊上体４によって形成される左右一対の環状部４ａ内の下側半部に土嚢Ａの左右箇所をそれぞれ位置させることにより、該土嚢Ａの周面を受止めて左右バランス良く係止させる。そして、土嚢Ａは、地面に対して非接地な状態になると、左右の吊上体４によって吊ビーム２に吊下げられた状態になり、その荷重が吊上体４を介して吊ビーム２の左右の端部側に作用する。
【００２７】
なお、下部側に土嚢Ａが係止される吊上体４を吊ビーム２の端側に係止するために、吊上体４によって環状部４ａを形成するが、帯状又は紐状の吊上体４の両端部を土嚢Ａに係止させ、土嚢Ａ及び吊上体４により環状部（図示しない）を形成してもよいし、吊上体４の上端部を自身の中途部に連結させることにより、環状部（図示しない）を形成してもよい。
【００２８】
このように構成される吊り具１によれば、クレーンＢを上昇駆動させ、フック部ｂを介して吊下げ支持した吊ビーム２を上昇させることにより、土嚢Ａを吊上げる。続いて、クレーンＢを搬送作動させ、非接地状態の土嚢Ａを所定位置まで搬送する。続いて、クレームＢを下降駆動させ、フック部ｂを介して吊下げ支持した吊ビーム２を下降させることにより、土嚢Ａを地面に接地させる。このようにして、搬送後に土嚢Ａが地面に接地されると、土嚢Ａからの荷重が減って、吊上体４から吊ビーム２に作用する力が減少するが、本吊り具１には、この土嚢Ａからの荷重減少に伴って吊上体４と吊ビーム２との係合を解除する解除機構１１が設けられている。
【００２９】
図３は、解除機構による係合解除の状態を示す吊り具の要部正面図である。図１乃至３に示すように、解除機構１１は、吊ビーム２における本体部６の左右各端部上面側に支持された解除アーム１２と、該左右一対の各解除アーム１２側に設けられた弾性部材である圧縮スプリング１３とを備えている。
【００３０】
上記解除アーム１２は、平面視吊りビーム２の軸方向の沿って全体が上下揺動するように基端側が吊ビーム２に支持されているため、基端側が支持端側となり、先端側が自由端側となる。そして、解除アーム１２は、この上下揺動によって、基端側から先端側に向かって吊ビーム２の左右方向中央側（中央側）に延びるようにして吊ビーム２の上面側に沿って倒伏した倒伏姿勢と、基端側から先端側に向かって吊ビーム２中央側を向いて上方傾斜した解除姿勢とに、姿勢切換可能に構成されている。
【００３１】
上記圧縮スプリング１３は、倒伏姿勢の解除アーム１２を上方揺動側に付勢するように、対応する解除アーム１２と吊ビーム２上面側との間に介設されている。
【００３２】
前述した環状部４ａに、吊ビーム２とともに解除アーム１２が挿通された状態で、土嚢Ａを吊上げて非接地状態とすると、土嚢Ａからの荷重が吊上体４を介して解除アーム１２に伝わり、解除アーム１２が、圧縮スプリング１３の弾性力に抗して倒伏姿勢に切換えられるように下方揺動され、該姿勢で保持される（図２（Ａ）参照））。続いて、上述した土嚢Ａの搬送後、地面から離間した状態の土嚢Ａを地面に接地させると、土嚢Ａからの荷重が減少し、解除アーム１２が圧縮スプリング１３の弾性力によって跳ね上げられるように上方揺動作動し、該解除アーム１３がその勢いによって解除姿勢に切換えられる。この解除アーム１２の解除姿勢への切換によって、吊上体４が吊ビーム２軸方向外側に押出され、この押出しによって、環状部４ａから解除アーム１２及び吊ビーム２が抜出され、吊上体４と吊ビーム２との係合が解除される（図３参照）。
【００３３】
すなわち、この圧縮スプリング１３は、土嚢Ａが接地されて吊上体４から吊ビーム２に作用する力が減って、その力が低下又は零になると、解除アーム１２を介して、吊ビーム２との係合が解除される側に吊上体４を付勢するように（移動させるように）構成されている。ちなみに、この解除アーム１２は、吊上体４が引掛けられていない状態時には、略自由長の圧縮スプリング１３の上端側に当接し、解除姿勢と倒伏姿勢との間の揺動姿勢である待機姿勢で、保持される。
【００３４】
また、この解除アーム１２の先端側には、上方側に湾曲又は屈曲（図示する例では屈曲）形成されてフック部１２ａを構成している。このフック部１２ａは、解除アーム１２が倒伏姿勢に切換えられている際に、吊上体４の吊ビーム２中央側への移動を規制するとともに、解除アーム１２の倒伏姿勢から解除姿勢への切換作動時においては、吊上体４を確実に軸方向外側に押出す役割を果す。これに加えて、上述した係止部７は、環状部４ａからの解除アーム１２及び吊ビーム２が不測に抜出すことを効率的に防止して、解除機構１１によらない吊上体４と吊ビーム２との係合解除を防止するように構成されている。
【００３５】
以上のように構成される吊り具１によれば、吊上げ搬送した後の土嚢Ａを、地面に接地させた際に、吊ビーム２の左右両端側に配置された解除機構１１によって、吊上体４と吊ビーム２との係合が自動的に解除されるため、土嚢ＡのクレーンＢ等を介した搬送作業を効率的に行うことが可能になる。
【００３６】
次に、図４に基づき、解除機構１１の別実施形態について上述の例と異なる点を説明する。
図４（Ａ），（Ｂ）は、解除機構の別実施形態の構成を示す吊り具の要部正面図及び要部平面図である。図示する例では、倒伏姿勢の解除アーム１２を上方揺動側に付勢する弾性部材１３として、解除アームの基端側に配置された渦巻ばね等を用いている。さらに、倒伏姿勢に切換えられた解除アーム１２とともに、吊上体４に当接する当接部１６を、吊ビーム２の上面側に別体又は一体（図示する例では別体）で形成してもよい。これによって、土嚢Ａから弾性部材１３にかかる荷重を低減させることが可能になる。ちなみに、解除アーム１３は、土嚢１からの荷重が無い場合には、ストッパ（図示しない）等によって、解除姿勢で保持される。
【００３７】
次に、図５に基づき、解除機構１１の別実施形態について上述の例と異なる点を説明する。
図５は、解除機構の別実施形態を示すものであり、（Ａ）は吊上体と吊ビームの係合時における要部正面図であり、（Ｂ）は吊上体と吊ビームの係合解除時における要部正面図である。同図に示す通り、吊ビーム２は、横方向に延びる左右一対の棒状の分割片１７，１７によって構成され、この吊ビーム２の左右各端部の係止部７は、フランジ状では無く、上方に屈曲又は湾曲（図示する例では屈曲）したフック状に形成されている。
【００３８】
この左右一対の分割片１７，１７同士はヒンジ部１８によって回動可能に連結されており、該ヒンジ部１８によって、吊ビーム２は、一直線状に展開された展開姿勢と（同図（Ａ）参照）、各分割片１７がヒンジ部１８を支点に互いに近づくように上方揺動されて全体として楔状又は完全に折畳まれた曲げ姿勢とに姿勢切換可能に構成される。また、上述した弾性部材１３は、左右のブラケット間に架設される引張スプリングによって構成され、該引張スプリング１３によって吊ビーム２は、曲げ姿勢側に弾性的に付勢される。以上、ヒンジ部１８と引張スプリング１３によって、上述した解除機構１１が構成されている。
【００３９】
非接地状態の土嚢Ａな係止された一対の吊上体４が吊ビーム２の左右両端側に係合された状態では、土嚢Ａからの荷重によって、吊ビーム２が引張スプリング１３の弾性力に抗して、展開姿勢で保持されるが（同図（Ａ）参照）、この状態から土嚢Ａを地面に接地させると、土嚢Ａからの荷重が減少して、吊ビーム２が展開姿勢から曲げ姿勢に切換えられる。
【００４０】
この吊ビーム２の姿勢切換によって、左右の吊上体４の環状部４ａから、対応する各分割片１７が抜出され、吊ビーム２と吊上体４との係合が解除される（同図（Ｂ）参照）。なお、分割片１７が環状部４ａから抜出されない状態であっても、吊ビーム２の端側に対する吊上体４の引掛かりは無くなり、両者の係合は解除された状態になる。
【符号の説明】
【００４１】
１  吊り具
２  吊ビーム
４  吊上体
４ａ  環状部
７  係止部
１１  解除機構
１２  解除アーム
１２ａ  フック部
１３  弾性部材（圧縮スプリング、渦巻ばね，引張スプリング）
１７  分割片
１８  ヒンジ部
Ａ  土嚢（対象物）
【図１】
0003163967.tif 000003
【図２】
0003163967.tif 000004
【図３】
0003163967.tif 000005
【図４】
0003163967.tif 000006
【図５】
0003163967.tif 000007
【手続補正書】
【提出日】平成22年9月8日(2010.9.8)
【手続補正１】
【補正対象書類名】実用新案登録請求の範囲
【補正対象項目名】全文
【補正方法】変更
【補正の内容】
【実用新案登録請求の範囲】
【請求項１】
昇降可能に吊下げ支持される横方向の吊ビーム（２）と、対象物（Ａ）が係止される一対の吊上体（４）とを備え、該一対の吊上体（４）を吊ビーム（２）の両端側にそれぞれ係脱可能に係合させることにより該対象物（Ａ）を吊ビーム（２）に吊下げる吊り具であって、対象物（Ａ）が接地されて吊上体（４）から吊ビーム（２）に作用する力が減少した場合に、吊ビーム（２）との係合が解除される方向に吊上体（４）を付勢する弾性部材（１３）を備えた解除機構（１１）を吊りビーム（２）側に設け、該解除機構（１１）によって吊上体（４）と吊ビーム（２）との係合を解除する吊り具。
【請求項２】
吊上体（４）によって環状部（４ａ）を形成し、該環状部（４ａ）に吊ビーム（２）が挿通されることにより吊上体（４）が吊ビーム（２）に引掛けられて係止されるように該環状部（４ａ）を構成し、係合解除時に環状部（４ａ）から吊ビーム（２）が抜出されるように解除機構（１１）を構成した請求項１に記載の吊り具。
【請求項３】
解除機構（１１）が、上下揺動可能なように吊ビーム（２）の端部側に支持された解除アーム（１２）と、吊ビーム（２）の上面側に沿って倒伏した倒伏姿勢の解除アーム（１２）を上方揺動側に付勢するように構成された前記弾性部材（１３）とを備え、倒伏姿勢の解除アーム（１２）が吊ビーム（２）とともに上記環状部（４ａ）に挿通された際に対象物（Ａ）が非接地の場合には該対象物（Ａ）からの荷重によって弾性部材（１３）の付勢力に抗して解除アーム（１２）が倒伏姿勢で保持されるように、該解除アーム（１２）及び弾性部材（１３）を構成し、対象物（Ａ）が接地された際に、弾性部材（１３）によって解除アーム（１２）が倒伏姿勢から上方揺動されることにより吊上体（４）の吊ビーム（２）との係合が解除される請求項２に記載の吊り具。
【請求項４】
解除アーム（１２）における吊ビーム（２）端側に位置する支持端と反対側の自由端側に、倒伏姿勢時における環状部（４ａ）の吊ビーム（２）中心側への移動を規制するフック部（１２ａ）を設けた請求項３に記載の吊り具。
【請求項５】
横方向に延びる左右一対の棒状の分割片（１７）によって吊ビーム（２）を構成し、分割片（１７）同士をヒンジ部（１８）によって回動可能に連結することにより、一対の分割片（１７）が一直線状に展開された展開姿勢と、各分割片（１７）がヒンジ部（１８）を支点に上方側に上方揺動された曲げ姿勢とに切換可能なように吊ビーム（２）を構成し、該ヒンジ部（１８）と、吊ビーム（２）を曲げ姿勢側に付勢するように構成された前記弾性部材（１３）とによって前記解除機構（１１）を構成し、非接地状態の対象物（Ａ）からの荷重によって該弾性部材（１３）の付勢力に抗して展開姿勢で保持された吊ビーム（２）が、対象物（Ａ）が接地された際に展開姿勢から曲げ姿勢に切換えられることにより、吊上体（４）と吊ビーム（２）との係合が解除されるように前記解除機構（１１）を構成した請求項１又は２の何れかに記載の吊り具。
【請求項６】
吊ビーム（２）の端部側に、環状部（４ａ）の解除機構（１１）によらない抜出しを防止する係止部（７）を形成した請求項２乃至５の何れかに記載の吊り具。
【請求項７】
吊上体（４）が、紐状体又は帯状体である請求項２乃至６の何れかに記載の吊り具。
【請求項８】
紐状体又は帯状体よりなる吊上体（４）をループ状にして前記環状部（４ａ）を形成した請求項７に記載の吊り具。
【請求項９】
吊上体（４）の環状部（４ａ）内に対象物（Ａ）の周面の一部を位置させて係止する請求項８に記載の吊り具。
【手続補正２】
【補正対象書類名】明細書
【補正対象項目名】全文
【補正方法】変更
【補正の内容】
【考案の詳細な説明】
【技術分野】
【０００１】
この考案は、昇降可能に吊下げ支持される横方向の吊ビームを備えた吊り具に関する。
【背景技術】
【０００２】
土嚢等の高重量の対象物を吊上げ搬送する場合に用いる吊り具の一種として、クレーン等によって昇降可能に吊上げ支持される吊ビームと、上記対象物が係止される一対の吊上体とを備え、該一対の吊上体を吊ビームの両端側にそれぞれ取付け、対象物をバランス良く吊上げることが可能な吊り具が従来公知である。
【０００３】
さらに、該構成の吊り具を改良したものとして、一対の各吊上体を、吊ビームの対応する端部側に係脱可能に係合させることにより取付けた特許文献１に示す吊り具が公知になっている。
【先行技術文献】
【特許文献】
【０００４】
【特許文献１】実開平３−４１７８０号公報
【考案の概要】
【考案が解決しようとする課題】
【０００５】
上記文献の吊り具は、対象物を吊上体に係止した状態のままで、対象物を吊り具から取外すことが可能であるが、結局、吊上体を吊ビームから取外す作業が必要でるため、作業負担の軽減という観点から改良の余地が残る。
本考案は、クレーン等によって昇降可能に吊上げ支持される吊ビームと、上記対象物が係止される一対の吊上体とを備え、該一対の吊上体を吊ビームの両端側にそれぞれ係脱可能に係合させた吊り具であって、作業負担が軽減される吊り具を提供することを課題とする。
【課題を解決するための手段】
【０００６】
上記課題を解決するため本考案は、第１に、昇降可能に吊下げ支持される横方向の吊ビーム２と、対象物Ａが係止される一対の吊上体４とを備え、該一対の吊上体４を吊ビーム２の両端側にそれぞれ係脱可能に係合させることにより該対象物Ａを吊ビーム２に吊下げる吊り具であって、対象物Ａが接地されて吊上体４から吊ビーム２に作用する力が減少した場合に、吊ビーム２との係合が解除される方向に吊上体４を付勢する弾性部材１３を備えた解除機構１１を吊りビーム２側に設け、該解除機構１１によって吊上体４と吊ビーム２との係合を解除することを特徴としている。
【０００７】
第２に、吊上体４によって環状部４ａを形成し、該環状部４ａに吊ビーム２が挿通されることにより吊上体４が吊ビーム２に引掛けられて係止されるように該環状部４ａを構成し、係合解除時に環状部４ａから吊ビーム２が抜出されるように解除機構１１を構成したことを特徴としている。
【０００８】
第３に、解除機構１１が、上下揺動可能なように吊ビーム２の端部側に支持された解除アーム１２と、吊ビーム２の上面側に沿って倒伏した倒伏姿勢の解除アーム１２を上方揺動側に付勢するように構成された前記弾性部材１３とを備え、倒伏姿勢の解除アーム１２が吊ビーム２とともに上記環状部４ａに挿通された際に対象物Ａが非接地の場合には該対象物Ａからの荷重によって弾性部材１３の付勢力に抗して解除アーム１２が倒伏姿勢で保持されるように、該解除アーム１２及び弾性部材１３を構成し、対象物Ａが接地された際に、弾性部材１３によって解除アーム１２が倒伏姿勢から上方揺動されることにより吊上体４の吊ビーム２との係合が解除されることを特徴としている。
【０００９】
第４に、解除アーム１２における吊ビーム２端側に位置する支持端と反対側の自由端側に、倒伏姿勢時における環状部４ａの吊ビーム２中心側への移動を規制するフック部１２ａを設けたことを特徴としている。
【００１０】
第５に、横方向に延びる左右一対の棒状の分割片１７によって吊ビーム２を構成し、分割片１７同士をヒンジ部１８によって回動可能に連結することにより、一対の分割片１７が一直線状に展開された展開姿勢と、各分割片１７がヒンジ部１８を支点に上方側に上方揺動された曲げ姿勢とに切換可能なように吊ビーム２を構成し、該ヒンジ部１８と、吊ビーム２を曲げ姿勢側に付勢するように構成された前記弾性部材１３とによって前記解除機構１１を構成し、非接地状態の対象物Ａからの荷重によって該弾性部材１３の付勢力に抗して展開姿勢で保持された吊ビーム２が、対象物Ａが接地された際に展開姿勢から曲げ姿勢に切換えられることにより、吊上体４と吊ビーム２との係合が解除されるように前記解除機構１１を構成したことを特徴としている。
【００１１】
第６に、吊ビーム２の端部側に、環状部４ａの解除機構１１によらない抜出しを防止する係止部７を形成したことを特徴としている。
【００１２】
第７に、吊上体４が、紐状体又は帯状体であることを特徴としている。
【００１３】
第８に、紐状体又は帯状体よりなる吊上体４をループ状にして前記環状部４ａを形成したことを特徴としている。
【００１４】
第９に、吊上体４の環状部４ａ内に対象物Ａの周面の一部を位置させて係止することを特徴としている。
【考案の効果】
【００１５】
本考案の構成によれば、対象物が接地されて吊上体から吊ビームに作用する力が減少した場合に、吊上体と吊ビームとの係合を解除する解除機構を、吊ビーム側に設けているため、吊上体と吊ビームとの係合を解除する作業が不要になり、作業の手間が軽減される。
【００１６】
また、吊上体によって環状部を形成し、該環状部に吊ビームが挿通されることにより吊上体が吊ビームに引掛けられて係止されるように該環状部を構成し、係合解除時に環状部から吊ビームが抜出されるように解除機構を構成すれば、吊上体と吊ビームとの係脱をより円滑に行わせることが可能になる。
【００１７】
また、吊ビームの端部側に、環状部の解除機構によらない抜出しを防止する係止部を形成すれば、吊上体と吊ビームとの意図しない係合解除を防止できる。
【図面の簡単な説明】
【００１８】
【図１】（Ａ）は本発明を適用した吊り具の吊上体を省いた状態の正面図であり、（Ｂ）は吊り具に設けられた止め金具の側面図である。
【図２】（Ａ），（Ｂ）は、土嚢吊上げ時の吊り具の要部正面図及び側面図である。
【図３】解除機構による係合解除の状態を示す吊り具の要部正面図である。
【図４】（Ａ），（Ｂ）は、解除機構の別実施形態の構成を示す吊り具の要部正面図及び要部平面図である。
【図５】解除機構の別実施形態を示すものであり、（Ａ）は吊上体と吊ビームの係合時における要部正面図であり、（Ｂ）は吊上体と吊ビームの係合解除時における要部正面図である。
【考案を実施するための形態】
【００１９】
図１（Ａ）は本発明を適用した吊り具の吊上体を省いた状態の正面図であり、（Ｂ）は吊り具に設けられた止め金具の側面図であり、図２（Ａ），（Ｂ）は、土嚢吊上げ時の吊り具の要部正面図及び側面図である。図示する例では、クレーンによって吊上げられて搬送される対象物は土嚢Ａであり、該土嚢Ａは土ａ１等を入れた袋体ａ２よりなる重量物である。本発明が適用された吊り具１は、この土嚢Ａを、クレーンＢによって吊上げて搬送する際に用いるものであり、横方向の金属製の吊ビーム２と、吊ビーム２をクレーンＢのフックｂに吊上げ支持する支持ワイヤ３と、フレキシブルに変形する帯状又は紐状（図示する例では帯状）の吊上体４とを備えている。
【００２０】
上記吊ビーム２は、横方向に延びる円柱状の本体部６を有し、この本体部６の軸方向両端部には、本体部６よりも径が大きい円盤フランジ状の係止部７がそれぞれ一体的に形成されるとともに、該本体部６の中途部における左右対称位置には、正面視方形状をなす板状の金属製ブラケット８がそれぞれ上方側に向かって一体的に突出形成されている。この左右一対の各ブラケット８は、中央部に円状の取付孔８ａが穿設されている。
【００２１】
上記支持ワイヤ３は左右一対で設けられ、この左右の支持ワイヤ３は、止め金具９を介して、対応するブラケット８に取付けられている。具体的には、支持ワイヤ３の上端部及び下端部を、自身の中途部に連結固定することにより、各支持ワイヤ３に上下一対の環状部３ａ，３ｂを形成している一方、止め金具９は、ブラケット８の取付孔８ａに挿通され且つＵ字状に曲げ形成された棒状部材である本体部９ａと、本体部９ａのＵ字状の両端部間に架設固定される係止ピン９ｂとからなる。
【００２２】
そして、各支持ワイヤ３の下側の環状部３ｂに係止ピン９ｂが挿通されるようにして、該係止ピン９ｂを本体部９ａの両端部間に架渡して固定することにより、該環状部３ｂを、止め金具９（ブラケット８側）に係止するとともに、各支持ワイヤ３の上側の環状部３ａをクレーンＢのフック部ｂに直接引掛けることにより係止する。
【００２３】
このようにして、吊ビーム２を、左右一対の支持ワイヤ３等によって、クレーンＢのフック部ｂに吊下げ支持した際、止め金具９及びブラケット８が吊ビーム２の左右対称箇所に配されているため、吊ビーム２が左右バランス良く水平な姿勢で保持される。なお、図示する例では、各支持ワイヤ３の上側の環状部３ａを単一のフック部ｂに直接引掛けて係止しているが、左右の支持ワイヤ３の上端側を単一のフック部材（図示しない）の下端部に取付支持し、このフック部材をクレーンＢフック部ｂに引掛けて係合させても良い。
【００２４】
上記吊上体４は、帯状又は紐状の一端側を他端側に連結してループ状とすることにより、環状部４ａを形成している。この全体形状がループ状をなす吊上体４は、吊ビーム２の左右の端部側にそれぞれ１個づつ係脱自在に係合される。
【００２５】
詳しく説明すると、左右の各吊上体４は、環状部４ａ内の上端側に吊ビーム２の左右の端部がそれぞれ挿通されることにより、吊ビーム２の対応する端部側（具体的には、吊ビーム２における係止部７とブラケット８との間）に引掛けて係止させる一方で、吊上体４によって形成される左右一対の環状部４ａ内の下側半部に土嚢Ａの左右箇所をそれぞれ位置させることにより、該土嚢Ａの周面を受止めて左右バランス良く係止させる。そして、土嚢Ａは、地面に対して非接地な状態になると、左右の吊上体４によって吊ビーム２に吊下げられた状態になり、その荷重が吊上体４を介して吊ビーム２の左右の端部側に作用する。
【００２６】
なお、下部側に土嚢Ａが係止される吊上体４を吊ビーム２の端側に係止するために、吊上体４によって環状部４ａを形成するが、帯状又は紐状の吊上体４の両端部を土嚢Ａに係止させ、土嚢Ａ及び吊上体４により環状部（図示しない）を形成してもよいし、吊上体４の上端部を自身の中途部に連結させることにより、環状部（図示しない）を形成してもよい。
【００２７】
このように構成される吊り具１によれば、クレーンＢを上昇駆動させ、フック部ｂを介して吊下げ支持した吊ビーム２を上昇させることにより、土嚢Ａを吊上げる。続いて、クレーンＢを搬送作動させ、非接地状態の土嚢Ａを所定位置まで搬送する。続いて、クレームＢを下降駆動させ、フック部ｂを介して吊下げ支持した吊ビーム２を下降させることにより、土嚢Ａを地面に接地させる。このようにして、搬送後に土嚢Ａが地面に接地されると、土嚢Ａからの荷重が減って、吊上体４から吊ビーム２に作用する力が減少するが、本吊り具１には、この土嚢Ａからの荷重減少に伴って吊上体４と吊ビーム２との係合を解除する解除機構１１が設けられている。
【００２８】
図３は、解除機構による係合解除の状態を示す吊り具の要部正面図である。図１乃至３に示すように、解除機構１１は、吊ビーム２における本体部６の左右各端部上面側に支持された解除アーム１２と、該左右一対の各解除アーム１２側に設けられた弾性部材である圧縮スプリング１３とを備えている。
【００２９】
上記解除アーム１２は、平面視吊りビーム２の軸方向の沿って全体が上下揺動するように基端側が吊ビーム２に支持されているため、基端側が支持端側となり、先端側が自由端側となる。そして、解除アーム１２は、この上下揺動によって、基端側から先端側に向かって吊ビーム２の左右方向中央側（中央側）に延びるようにして吊ビーム２の上面側に沿って倒伏した倒伏姿勢と、基端側から先端側に向かって吊ビーム２中央側を向いて上方傾斜した解除姿勢とに、姿勢切換可能に構成されている。
【００３０】
上記圧縮スプリング１３は、倒伏姿勢の解除アーム１２を上方揺動側に付勢するように、対応する解除アーム１２と吊ビーム２上面側との間に介設されている。
【００３１】
前述した環状部４ａに、吊ビーム２とともに解除アーム１２が挿通された状態で、土嚢Ａを吊上げて非接地状態とすると、土嚢Ａからの荷重が吊上体４を介して解除アーム１２に伝わり、解除アーム１２が、圧縮スプリング１３の弾性力に抗して倒伏姿勢に切換えられるように下方揺動され、該姿勢で保持される（図２（Ａ）参照））。続いて、上述した土嚢Ａの搬送後、地面から離間した状態の土嚢Ａを地面に接地させると、土嚢Ａからの荷重が減少し、解除アーム１２が圧縮スプリング１３の弾性力によって跳ね上げられるように上方揺動作動し、該解除アーム１３がその勢いによって解除姿勢に切換えられる。この解除アーム１２の解除姿勢への切換によって、吊上体４が吊ビーム２軸方向外側に押出され、この押出しによって、環状部４ａから解除アーム１２及び吊ビーム２が抜出され、吊上体４と吊ビーム２との係合が解除される（図３参照）。
【００３２】
すなわち、この圧縮スプリング１３は、土嚢Ａが接地されて吊上体４から吊ビーム２に作用する力が減って、その力が低下又は零になると、解除アーム１２を介して、吊ビーム２との係合が解除される側に吊上体４を付勢するように（移動させるように）構成されている。ちなみに、この解除アーム１２は、吊上体４が引掛けられていない状態時には、略自由長の圧縮スプリング１３の上端側に当接し、解除姿勢と倒伏姿勢との間の揺動姿勢である待機姿勢で、保持される。
【００３３】
また、この解除アーム１２の先端側には、上方側に湾曲又は屈曲（図示する例では屈曲）形成されてフック部１２ａを構成している。このフック部１２ａは、解除アーム１２が倒伏姿勢に切換えられている際に、吊上体４の吊ビーム２中央側への移動を規制するとともに、解除アーム１２の倒伏姿勢から解除姿勢への切換作動時においては、吊上体４を確実に軸方向外側に押出す役割を果す。これに加えて、上述した係止部７は、環状部４ａからの解除アーム１２及び吊ビーム２が不測に抜出すことを効率的に防止して、解除機構１１によらない吊上体４と吊ビーム２との係合解除を防止するように構成されている。
【００３４】
以上のように構成される吊り具１によれば、吊上げ搬送した後の土嚢Ａを、地面に接地させた際に、吊ビーム２の左右両端側に配置された解除機構１１によって、吊上体４と吊ビーム２との係合が自動的に解除されるため、土嚢ＡのクレーンＢ等を介した搬送作業を効率的に行うことが可能になる。
【００３５】
次に、図４に基づき、解除機構１１の別実施形態について上述の例と異なる点を説明する。
図４（Ａ），（Ｂ）は、解除機構の別実施形態の構成を示す吊り具の要部正面図及び要部平面図である。図示する例では、倒伏姿勢の解除アーム１２を上方揺動側に付勢する弾性部材１３として、解除アームの基端側に配置された渦巻ばね等を用いている。さらに、倒伏姿勢に切換えられた解除アーム１２とともに、吊上体４に当接する当接部１６を、吊ビーム２の上面側に別体又は一体（図示する例では別体）で形成してもよい。これによって、土嚢Ａから弾性部材１３にかかる荷重を低減させることが可能になる。ちなみに、解除アーム１３は、土嚢１からの荷重が無い場合には、ストッパ（図示しない）等によって、解除姿勢で保持される。
【００３６】
次に、図５に基づき、解除機構１１の別実施形態について上述の例と異なる点を説明する。
図５は、解除機構の別実施形態を示すものであり、（Ａ）は吊上体と吊ビームの係合時における要部正面図であり、（Ｂ）は吊上体と吊ビームの係合解除時における要部正面図である。同図に示す通り、吊ビーム２は、横方向に延びる左右一対の棒状の分割片１７，１７によって構成され、この吊ビーム２の左右各端部の係止部７は、フランジ状では無く、上方に屈曲又は湾曲（図示する例では屈曲）したフック状に形成されている。
【００３７】
この左右一対の分割片１７，１７同士はヒンジ部１８によって回動可能に連結されており、該ヒンジ部１８によって、吊ビーム２は、一直線状に展開された展開姿勢と（同図（Ａ）参照）、各分割片１７がヒンジ部１８を支点に互いに近づくように上方揺動されて全体として楔状又は完全に折畳まれた曲げ姿勢とに姿勢切換可能に構成される。また、上述した弾性部材１３は、左右のブラケット間に架設される引張スプリングによって構成され、該引張スプリング１３によって吊ビーム２は、曲げ姿勢側に弾性的に付勢される。以上、ヒンジ部１８と引張スプリング１３によって、上述した解除機構１１が構成されている。
【００３８】
非接地状態の土嚢Ａな係止された一対の吊上体４が吊ビーム２の左右両端側に係合された状態では、土嚢Ａからの荷重によって、吊ビーム２が引張スプリング１３の弾性力に抗して、展開姿勢で保持されるが（同図（Ａ）参照）、この状態から土嚢Ａを地面に接地させると、土嚢Ａからの荷重が減少して、吊ビーム２が展開姿勢から曲げ姿勢に切換えられる。
【００３９】
この吊ビーム２の姿勢切換によって、左右の吊上体４の環状部４ａから、対応する各分割片１７が抜出され、吊ビーム２と吊上体４との係合が解除される（同図（Ｂ）参照）。なお、分割片１７が環状部４ａから抜出されない状態であっても、吊ビーム２の端側に対する吊上体４の引掛かりは無くなり、両者の係合は解除された状態になる。
【符号の説明】
【００４０】
１  吊り具
２  吊ビーム
４  吊上体
４ａ  環状部
７  係止部
１１  解除機構
１２  解除アーム
１２ａ  フック部
１３  弾性部材（圧縮スプリング、渦巻ばね，引張スプリング）
１７  分割片
１８  ヒンジ部
Ａ  土嚢（対象物）